(57)【要約】【課題】簡単な構成で一体形成されていて製造と取り付けが容易である。【解決手段】建材パネル１は、石膏ボード５と、石膏ボード５の裏面に載置した真空断熱材６と、真空断熱材６を覆って石膏ボード５の周縁部５ａに固着した硬質ウレタン樹脂層７と、硬質ウレタン樹脂層７の真空断熱材６と反対側の面に被着された被覆シート８とを備えた。硬質ウレタン樹脂層７は石膏ボード５の端面５ｂを覆って石膏ボード５の表面５ｃと面一に形成した。建材パネル１の側面１ａに弾性を備えた断熱性のパッキン９と樹脂フィルム１０を積層したものを固定した。建材パネル１の屋外側の裏面に接着剤１６及び両面テープ１５を付着し、建材パネル１を壁面３に接着して取り付けた。【選択図】図３
2015196955.tif 000002
【特許請求の範囲】
【請求項１】
表面材と、
該表面材に設置した真空断熱材と、
前記真空断熱材を覆って前記表面材の周縁部に取り付けた断熱層と、
該断熱層の前記真空断熱材と反対側の面に被着した被覆シートと
を備えたことを特徴とする建材パネル。
【請求項２】
前記断熱層は表面材の端面を覆っている請求項１に記載された建材パネル。
【請求項３】
前記断熱層の側面に弾性を備えた断熱性のパッキンを被着した請求項１または２に記載された建材パネル。
【請求項４】
前記パッキンの前記断熱層と反対側の側面にフィルムを設けた請求項３に記載された建材パネル。
【請求項５】
前記パッキンの端面は前記表面材の表面より引込められている請求項３または４に記載された建材パネル。
【請求項６】
前記パッキンは前記表面材の端面に重なっている請求項３から５のいずれか１項に記載された建材パネル。
【請求項７】
表面材の端面または端面近傍に仮枠を配設する工程と、
前記表面材の一方の面に真空断熱材を載置する工程と、
前記真空断熱材を覆うように前記仮枠上に被覆シートを載置する工程と、
前記表面材及び前記被覆シートの間の空間に前記真空断熱材を覆うように断熱材を形成する工程とを備えたことを特徴とする建材パネルの製造方法。
【請求項８】
請求項１から６のいずれか１項に記載された建材パネルの前記表面材に対向する被覆シートに接着剤及び両面テープの少なくとも一方を付着する工程と、
前記建材パネルの前記被覆シートを壁面に接着する工程と
を備えたことを特徴とする建材パネルの施工方法。
【発明の詳細な説明】
【技術分野】
【０００１】
本発明は、建物の新築やリフォーム等に用いる断熱性の高い建材パネルとその製造方法と施工方法に関する。
【背景技術】
【０００２】
従来、新築の際に、建物の断熱性を高くするために部屋の壁面として断熱性の高い建材パネルを被着したり、リフォームの際に、既存の建物の部屋の断熱性を高くするために壁面を断熱性の高い建材パネルに張り替えたり壁面の内側に取り付けたりする場合、例えば特許文献１に記載されたような断熱材を内蔵した建材パネルが用いられている。この建材パネルでは、室内側から室外側に向けて、化粧合板等の表面材、反りを防ぐガラスネット等の杭張材、発泡ポリウレタン等の断熱材、真空断熱材、更に杭張材等が積層されて一体形成されている。
【０００３】
また、他の例として、例えば図８に示すような建材パネル１００が用いられている。この建材パネル１００では、両面アルミライナーシート１０１、１０３の間に真空断熱材１０２を配設すると共に真空断熱材１０２の周囲に押出ポリスチレン（ＸＰＳ）等の樹脂枠１０４を配設した一次パネル１０５を有している。
そして、壁面に建材パネル１００を取り付ける際、一次パネル１０５を壁面の柱や小柱にビス１０６で固定し、その上に所定寸法に切断した石膏ボード１０７を取り付けてビス１０８で固定している。その際、真空断熱材１０２の断熱性を損なわないために、ビス１０８やビス１０６は真空断熱材１０２を外れた樹脂枠１０４に打ち込んで真空断熱材１０２を傷つけないようにしている。
【先行技術文献】
【特許文献】
【０００４】
【特許文献１】特開２０１３−６７９７３号公報
【発明の概要】
【発明が解決しようとする課題】
【０００５】
しかしながら、特許文献１や図８に示す建材パネルを壁面に固定する際、壁面の下地の柱や小柱の位置を確認してビスや釘等を打ち込まなければならず、下地の柱や小柱の位置の確認が面倒であった。また、ビスや釘を打ち込むには、真空断熱材を外れた枠体や樹脂枠等の外枠部分で打ち込まなければならず、しかもビスや釘を壁面に打ち込む音が大きく、騒音が発生する欠点があった。特に壁面がコンクリート壁であると一層大きな打ち込み音が発生するという欠点がある。
しかも、これらの建材パネルは杭張材や断熱材等の積層枚数が多く、製造に手間がかかる欠点があった。特に後者の建材パネル１００では、一次パネル１０５の上に石膏ボード１０７を固定する際、現場で石膏ボードを所定寸法に加工しなければならず、切断時に粉塵が飛散する欠点があった。
【０００６】
本発明は、このような課題に鑑みてなされたものであって、簡単な構成で一体形成されていて製造と取り付けが容易な建材パネル、この建材パネルの製造方法と施工方法を提供することを目的とする。
【課題を解決するための手段】
【０００７】
本発明による建材パネルは、表面材と、表面材に設置した真空断熱材と、真空断熱材を覆って表面材の周縁部に取り付けた断熱層と、断熱層の真空断熱材と反対側の面に被着した被覆シートとを備えたことを特徴とする。
本発明によれば、現場で表面材を必要寸法に合わせて加工することがなく、表面材と断熱層とで真空断熱材を挟み込んで包むように保持したので、簡単な構成で一体化できて製造が容易である。しかも、建材パネルは薄型で真空断熱材によって高い断熱性を得られるため、建物の壁面を撤去することなく、その内側に簡単かつ容易に取り付け可能である。なお、真空断熱材は断熱層よりも高い断熱性を有する部材である。
【０００８】
また、断熱層は表面材の端面を覆っていてもよい。
断熱層で表面材の端面を覆うことで表面材の端面が露出しないので端面を保護できる。
【０００９】
また、断熱層の側面に弾性を備えた断熱性のパッキンを固定することが好ましい。
建材パネルの断熱層の側面にパッキンを固定させたから、隣り合う建材パネルのパッキン同士を圧縮させた状態で取り付けることができ、建材パネル同士の間隙を互いのパッキンで埋めて断熱性を確保して防露性を発揮できる。
【００１０】
また、パッキンの断熱層と反対側の側面にフィルムを設けることが好ましい。
パッキンの側面にパッキンより摩擦抵抗の小さいフィルムを設けたために、取り付け時に建材パネル同士の位置調整を行う際、スムーズに摺動させて建材パネルの相対位置を調整できて作業が容易である。
【００１１】
また、パッキンの端面は表面材の表面より引込められていてもよい。
パッキンを建材パネルの表面材の表面より引込めて段差を形成することで、パッキンが建材パネルから剥がれることを防止できると共に表面材に壁紙や化粧紙等を貼着する際、パテ等を充填させて平坦に被着させることができる。
【００１２】
また、パッキンは表面材の端面に重なっていてもよい。
パッキンが表面材の端面に重なることで表面材の端面から粉塵等が落下することを防止できる。
【００１３】
本発明による建材パネルの製造方法は、表面材の端面または端面近傍に仮枠を配設する工程と、表面材の一方の面に真空断熱材を載置する工程と、真空断熱材を覆うように仮枠上に被覆シートを載置する工程と、表面材及び被覆シートの間の空間に真空断熱材を覆うように断熱材を形成する工程とを備えたことを特徴とする。
本発明によれば、表面材と断熱層とで真空断熱材を挟み込んで包むように保持したので、簡単に一体化できて組立が容易であり、工程数を少なくできる。
【００１４】
本発明による建材パネルの施工方法は、上述したいずれかの建材パネルの表面材に対向する被覆シートに接着剤及び両面テープの少なくとも一方を付着する工程と、建材パネルの被覆シートを壁面に接着する工程とを備えたことを特徴とする。
本発明によれば、建材パネルの被覆シートを接着剤と両面テープの少なくとも一方によって建物の壁面に張り付けることができるので、現場での作業時に釘打ち等が必要なく打設音がせず、しかも柱等を探す壁面の下地調査が不要であり、簡単に壁面に取り付けできる。また、現場で石膏ボード等の表面材を切断加工する必要がないので粉塵等の発生を防止できる。
【発明の効果】
【００１５】
本発明による建材パネルによれば、表面材と断熱材とで真空断熱材を覆って一体化するようにしたから、構成が簡単である上に製造が容易であるという効果を奏する。しかも、建材パネルは薄型で高い断熱性を得られるため、建物の壁面を撤去することなく、その内側に簡単かつ容易に取り付けできる。
【００１６】
また、本発明による建材パネルの製造方法によれば、表面材の上に真空断熱材を設置して真空断熱材を覆って表面材との間に真空断熱材を包み込むようにしたから、簡単な構成で一体化できて、製造が容易で工程を少なくできる。
【００１７】
また、本発明による建材パネルの施工方法によれば、一体形成した建材パネルを接着剤と両面テープの少なくとも一方によって壁面に張り付けることができるので、釘打ち等が不要で打設音がせず、しかも簡単に壁面に取り付けできる。また、現場で表面材を加工する必要がないので加工による粉塵等の発生を防止できる。
【図面の簡単な説明】
【００１８】
【図１】本発明の実施形態による建材パネルを部屋の壁面に取り付ける状態を示す水平断面図である。
【図２】本発明の実施形態による建材パネルの一部破断平面図である。
【図３】図２に示す建材パネルの部分縦断面図である。
【図４】図２に示す建材パネルの表裏面図と縦断面図である。
【図５】（ａ）〜（ｅ）は実施形態による建材パネルの製造工程を示す図である。
【図６】本発明の変形例による建材パネルの一部破断平面図である。
【図７】図６に示す建材パネルの部分縦断面図である。
【図８】従来の建材パネルを示す図であり、（ａ）は一部破断平面図、（ｂ）は壁面への取り付け工程を示す部分縦断面図である。
【発明を実施するための形態】
【００１９】
以下、本発明の実施形態による建材パネルについて添付図面によって説明する。
図１乃至図５は本発明の実施形態による建材パネル１を示すものである。
本実施形態による建材パネル１は、新築の建物の部屋の断熱性を高くするために部屋の壁面の上に取り付け、または壁面として取り付けることができる。或いは、建材パネル１は、リフォーム等で、既存の部屋の断熱性を高くするために壁面に張り付けたりするものである。本実施形態は、リフォームに際し、図１に示す建物の部屋２の壁面３の上に薄板状の建材パネル１を張り付けて簡便に断熱性を向上させるようにしたものである。
【００２０】
本実施形態による建材パネル１は、図２乃至図４に示す構成を備えている。
建材パネル１は、例えば四角形板状に形成されており、室内側に位置する表面材として例えば石膏ボード５が配設され、石膏ボード５の屋外側の裏面には板状の真空断熱材６が載置されている。石膏ボード５は予め測定された室内の壁面３の寸法に応じて切断加工されて建材パネル１に一体形成されている。
【００２１】
真空断熱材６は石膏ボード５の裏面の中央領域に載置されており、その周縁部５ａには設置されていない。真空断熱材６は１枚のシートでもよいが、図４に示すように、石膏ボード５の上に複数枚、例えば４枚の真空断熱材６を互いに離間して載置してもよい。真空断熱材６は例えばグラスウール等の多孔質構造の芯材をラミネートフィルムで被覆し封止したものであり、後述する硬質ウレタン樹脂と比較しても高い断熱性を備えている。
【００２２】
そして、真空断熱材６を覆って周縁部を石膏ボード５の周縁部５ａに接着させる断熱性の高い断熱層として、例えば硬質ウレタン樹脂層７が配設されている。硬質ウレタン樹脂層７は石膏ボード５との間で、真空断熱材６の表面６ａと四辺の端面６ｂを覆っている。硬質ウレタン樹脂層７は真空断熱材６を覆うと共に石膏ボード５の周縁部５ａと四辺の端面５ｂを覆う構成を形成している。
そのため、石膏ボード５の各端面５ｂは外部に露出せず、硬質ウレタン樹脂層７の端部７ａは石膏ボード５の室内側の表面５ｃと面一に形成されている。更に硬質ウレタン樹脂層７の石膏ボード５と反対側の面、即ち室外側の面には被覆シート８として例えばクラフト紙やビニールシート等が被着されている。
【００２３】
また、建材パネル１の四角形板状の四辺をなす側面１ａは硬質ウレタン樹脂層７と被覆シート８の各側面で形成されており、四周の各側面１ａには弾性と断熱性を有するパッキン９が接着されている。このパッキン９は例えば断面四角形の角柱状であり、例えばＥＰＤＭ（エチレンプロピレンゴム）を用いており、或いは他のゴムやスポンジ等を用いてもよい。その幅は、図３に示すように硬質ウレタン樹脂層７と被覆シート８の厚みより若干短く形成され、パッキン９の幅方向の側面９ａには摩擦力が小さく滑り易い樹脂フィルム１０が被着されている。なお、樹脂フィルム１０に限定されることなく、アルミシート等でもよく、摩擦力が小さい滑り易いフィルムであればよい。
そして、パッキン９は室外側の一方の端面９ｂが被覆シート８と面一に取り付けられ、室内側の他方の端面９ｃは、硬質ウレタン樹脂層７の室内側の端部７ａより若干落ち込んだ位置にあり段差が形成されている。
【００２４】
本実施形態による建材パネル１は上述の構成を備えており、次に建材パネル１の製造方法について図５により説明する。
まず、図５（ａ）において、まず、四角形の四辺に沿って仮枠１３を剥離シート１２と共に設置し、仮枠１３に接触させて、または若干の隙間を開けて、各仮枠１３の内側に石膏ボード５を載置する。次に、図５（ｂ）において、石膏ボード５の表面中央に周縁部５ａを除いて真空断熱材６を載置し、更に図５（ｃ）に示すように、仮枠１３の上に被覆シート８を被覆して石膏ボード５と被覆シート８との間の空間を封止する。
【００２５】
次に、図５（ｄ）に示すように、例えば発泡系の硬質ウレタン樹脂を空間の側面から充填して石膏ボード５との間で真空断熱材６を封止して硬化させる。硬質ウレタン樹脂が硬化して硬質ウレタン樹脂層７が形成された後、仮枠１３と剥離シート１２を取り除き、建材パネル１の四辺の側面１ａに樹脂フィルム１０が被着されたパッキン９を接着する。こうして、建材パネル１を製造できる。
なお、建材パネル１を取り付ける部屋２の壁面３にコンセントが設けられている場合、そしてコンセントが真空断熱材６に重なる場合には真空断熱材６を加工できないので、図２に示すように開口１４の部分を予め硬質ウレタン樹脂層７で形成する。そして、壁面３に建材パネル１を取り付ける際に開口１４のマーキングをした石膏ボード５と硬質ウレタン樹脂層７を現場で切除してコンセントの差込口を室内に露出させるようにすればよい。
【００２６】
次に、建材パネル１の施工方法について説明する。
リフォームの場合、図１において、部屋２の壁面３の縦横寸法を測定して建材パネル１の加工工場に寸法を連絡し、工場で製造する建材パネル１の縦横寸法を決定する。そして、製造された建材パネル１について、図３に示すように、建材パネル１の屋外側裏面に設けた被覆シート８の周縁部近傍に両面テープ１５を接着すると共にその内側または外側に接着剤１６を塗布する。
【００２７】
そして、図１に示す部屋２の壁面３に建材パネル１を接着し、両面テープ１５と接着剤１６によって建材パネル１を壁面３に固定する。そして、別の建材パネル１を同様にして順次壁面３に接着していく。その際、先に接着した建材パネル１の側面１ａに設けたパッキン９に次の建材パネル１のパッキン９を互いに圧縮させるようにして密着させて位置決めして固定する。しかも、各建材パネル１のパッキン９の表面には滑り易い樹脂フィルム１０が被着されているために、建材パネル１同士が互いに滑って位置調整を容易にできる。
【００２８】
また、建材パネル１のパッキン９は例えばＥＰＤＭからなるため断熱性を有しており、隣同士の建材パネル１のパッキン９を互いに圧縮状態にすることで隙間がなく、断熱性を確保できる。
そして、予め測定した寸法に基づいて壁面３に複数の建材パネル１を隙間なく敷き詰めて張り合わせる。また、建材パネル１は隣り合うパッキン９同士を圧接することでパッキン９の室内側の端面９ｂに段差による凹部が形成されるが、この凹部に漆喰等のパテを充填して敷き詰めた複数の建材パネル１の表面全体に壁紙(図示せず）等を貼り付けることで平面状にきれいに壁紙を貼着することができる。
【００２９】
上述のように本実施形態による建材パネル１によれば、現場で石膏ボード５を必要寸法に合わせて加工することがなく真空断熱材６及び硬質ウレタン樹脂層７と一体化して製造できる。しかも、石膏ボード５と硬質ウレタン樹脂層７とで真空断熱材６を挟み込んで包むように保持したので、薄型であり、簡単な構成で一体化できて、製造が容易である。
また、建材パネル１の各側面１ａに断熱性のあるパッキン９と樹脂フィルム１０を積層状態で被着させたから、壁面３に複数の建材パネル１を互いに当接させて接着する際、パッキン９同士を圧縮させて固定することで、建材パネル１同士の隙間も断熱させることができて防露性を向上できる。しかも、パッキン９の表面に摩擦抵抗の小さい樹脂フィルム１０を設けたために、取り付け時に建材パネル１同士の位置調整を行う際、スムーズに摺動させて建材パネル１の相対位置を調整できて作業が容易である。
また、本実施形態による建材パネル１は薄型で高い断熱性を得られるため、部屋２の壁面３を撤去することなく、その内側に両面テープ１５や接着剤１６で固定できるので簡単かつ容易に取り付けることができる。
【００３０】
また、本実施形態による建材パネル１の製造方法によれば、石膏ボード５の上に真空断熱材６を設置して硬質ウレタン樹脂層７によって真空断熱材６を覆って石膏ボード５との間に真空断熱材６を包み込むように固定したから、建材パネル１の組立が容易で工程数を少なくできる。
【００３１】
また、本実施形態による建材パネル１の施工方法によれば、建材パネル１を接着剤１６と両面テープ１５によって壁面３に張り付けることができるので、現場での作業時に釘打ち等の打設音がせず壁面３の下地調査が不要であり、簡単に壁面３に取り付けできる。また、現場で石膏ボード５を切断加工する必要がないので加工による粉塵等の発生を防止できる。
【００３２】
なお、本発明による建材パネル１は、上述した実施形態に限定されるものではなく、本発明の要旨を逸脱しない範囲で適宜の変更や置換等が可能である。
図６は本発明の変形例による建材パネル１Ａを示すものであり、本変形例による建材パネル１Ａは石膏ボード５が建材パネル１Ａの端縁である側面１ａまで延びており、石膏ボード５の表面上に真空断熱材６と硬質ウレタン樹脂層７とが設置されている。
また、表面材として石膏ボード５以外の合板等、適宜の材料を用いることができる。断熱層も硬質ウレタン樹脂層７以外に適宜の断熱材を用いることができる。
また、上述した実施形態では、硬質ウレタン樹脂層７の端部７ａを石膏ボード５の室内側の表面５ｃと面一に形成したが、硬質ウレタン樹脂層７の端部７ａを石膏ボード５の表面５ｃより引っ込ませて段差を形成してもよい。内装クロスが硬質ウレタン樹脂層７と接着し難い場合があるので、その場合には、端部７ａの表面にパテを塗布することで内装クロスと接着させることができる。
【００３３】
また、上述した実施形態等では、建材パネル１，１Ａは部屋の壁面に３に取り付けるようにしたが、これに限定されることなく床面や天井等にも用いることができる。
また、上述の実施形態では、リフォームに際し建材パネル１、１Ａを部屋の壁面３に取り付けるようにしたが、これに代えて建物の新築時や壁面３を除去したリフォーム時等に際し、壁面として建材パネル１，１Ａを取り付けるようにしてもよい。この場合、建材パネル１，１Ａは壁面を１枚で形成して釘打ち等で柱や小柱や梁に固定したり、接着剤や両面テープ等で裏面を柱や梁、小柱等に取り付けることができる。
【符号の説明】
【００３４】
１，１Ａ  建材パネル
３  壁面
５  石膏ボード
６  真空断熱材
７  硬質ウレタン樹脂層
８  被覆シート
９  パッキン
１０  樹脂フィルム
１５  両面テープ
１６  接着剤
【図１】
2015196955.tif 000003
【図２】
2015196955.tif 000004
【図３】
2015196955.tif 000005
【図４】
2015196955.tif 000006
【図５】
2015196955.tif 000007
【図６】
2015196955.tif 000008
【図７】
2015196955.tif 000009
【図８】
2015196955.tif 000010